(57)【要約】【課題】  防犯上、外部から攻撃されても破壊・侵入がされにくい建築物の開口部外装装置を提供すること。【解決手段】  左右の縦サッシ（１４）と、この左右の縦サッシ（１４）の間で支持されるとともに窓開口（２）を閉じるシャッタ（４０）を備え、該シャッタ（４０）は左右の縦サッシ（１４）に形成されたガイドに沿って昇降自在に設けられ、シャッタ（４０）の全開時には窓開口（２）の下側に位置する外壁（５１）と内壁（５２）との間に収納可能である構成とした。【選択図】  図４
2008127967.tif 000002
【特許請求の範囲】
【請求項１】
左右の縦サッシと、この左右の縦サッシの間で支持されるとともに窓開口を閉じるシャッタを備え、該シャッタは前記左右の縦サッシに形成されたガイドに沿って昇降自在に設けられ、前記シャッタの全開時には前記窓開口の下側に位置する外壁と内壁との間に収納可能である建築物の開口部外装装置。
【請求項２】
前記左右の縦サッシには上下に二つのガイドが形成され、該ガイドは下端から中間部は上下方向に平行に形成されたストレート状となっているとともに上端にいくに従って室外側に向かって湾曲した円弧状となっており、前記シャッタの全閉時には窓開口周辺の外壁とシャッタ室外面が面一な状態となる請求項１に記載の建築物の開口部外装装置。
【請求項３】
前記シャッタの全閉時にシャッタ室内面が照明の反射板として作用するように光源を設けた請求項１に記載の建築物の開口部外装装置。
【請求項４】
前記窓開口の上側に位置する外壁と内壁との間に駆動装置が設けられ、該駆動装置によって前記シャッタが昇降作動可能である請求項１に記載の建築物の開口部外装装置。
【請求項５】
前記窓開口の下側に位置する前記外壁と前記内壁との間に駆動装置が設けられ、該駆動装置によって前記シャッタが昇降作動可能である請求項１に記載の建築物の開口部外装装置。
【発明の詳細な説明】
【技術分野】
【０００１】
本発明は、シャッタを備えた住宅等の建築物における開口部外装装置に関する。
【背景技術】
【０００２】
一般に、建築物の窓には引き違いにされた一対のガラス障子を有するものがある。このような窓は、外壁部分に設けた窓開口に嵌め込まれた窓枠内を、ガラス障子がスライドするようになっている。
ガラス障子は窓枠内を左右にスライド移動するものが主流であるが、上下方向にスライド移動するタイプも知られている（例えば、特許文献１参照）。
【０００３】
このような窓のガラス障子の室外側には、シャッタを備えているものがある。シャッタの種類としては、複数のスラットが連結されて開く時に上部で巻き取り収納されるクローズタイプや、ブラインドようのに各スラットが回動自在で採光通風かのうなブラインドタイプ（例えば、特許文献１参照）がある。掃出窓の外側に設ける引き戸式雨戸を、隣接した戸袋内に収納するものも知られている（例えば、特許文献２参照）
【特許文献１】特開２００６−２４１７４３号公報
【特許文献２】特開平７−４８９７６号公報
【発明の開示】
【発明が解決しようとする課題】
【０００４】
しかしながら、上記した従来のクローズタイプやブラインドタイプのシャッタでは、シャッタ収納部が外壁から出っ張り、美観が損なわれるものであった。更に、スラット下端をこじ開けられて外部からの侵入を許してしまう恐れがあるものであった。
それゆえ、本発明は、以上の事情を背景になされたものであり、防犯上、外部から攻撃されても破壊・侵入がされにくい建築物の開口部外装装置を提供することを技術的課題とする。
【課題を解決するための手段】
【０００５】
上記した技術的課題を解決するため、本発明は、左右の縦サッシ（１４）と、この左右の縦サッシ（１４）の間で支持されるとともに窓開口（２）を閉じるシャッタ（４０）を備え、該シャッタ（４０）は左右の縦サッシ（１４）に形成されたガイドに沿って昇降自在に設けられ、シャッタ（４０）の全開時には窓開口（２）の下側に位置する外壁（５１）と内壁（５２）との間に収納可能である建築物の開口部外装装置（１）とした。
【０００６】
本発明に係る開口部外装装置によれば、シャッタ４０を一体型（閉じる時にも変形しない１枚のパネルタイプ）にすることが可能であり、防犯上、室外側から攻撃されても破壊されにくい。特に、上開きタイプのシャッタ４０なので、シャッタ４０が半開時であっても、高いところが開いている状態なので外部より進入しにくい。
従来の下開きタイプのシャッタは、落下すると床面との間に手が挟まれてけがをする恐れがあるが、上開きなので、シャッタ４０を閉じる際に手が挟まれにくい。
更に上開きの良い点としては、半開時として使用する際、雨が降っても雨が室内には入ってこず、プライバシーも保ちつつ換気を行え、採光もできる。
【０００７】
好ましくは、左右の縦サッシ（１４）には上下に二つのガイド（１１７、１１８）が形成され、該ガイド（１１７、１１８）は下端から中間部は上下方向に平行に形成されたストレート状となっているとともに上端にいくに従って室外側に向かって湾曲した円弧状となっており、シャッタ（１４０）の全閉時には窓開口（２）周辺の外壁（５１）とシャッタ（１４０）の室外面（１４１）が面一な状態となるように構成するのがよい。
【０００８】
このように、周辺の外壁５１とシャッタ１４０の室外面１４１が面一な状態となる（全閉状態）ので、室外側からの視野において一体感を得ることができる。つまり、意匠性が向上するとともに、一見しただけでは窓があることが気付かないようになる。
【０００９】
好ましくは、シャッタ（１４０）の全閉時にシャッタ室内面（１４２）が照明の反射板として作用するように光源（１８１）を設ける構成とするのがよい。これにより、夜間にシャッタ１４０を全閉状態とした際、光源１８１を点灯させると、シャッタ１４０の室内面（内側パネル）１４２が反射面となって反射し、日中の採光のような雰囲気で窓開口２から照明することができる。建物は、もともと窓から採光するように設計されているので、照明機能としてよい。
【００１０】
好ましくは、窓開口（２）の上側に位置する外壁（５１）と内壁（５２）との間に駆動装置（６３）が設けられ、該駆動装置（６３）によってシャッタ（４０）が昇降作動可能とするのがよい。モータ６３等の駆動部を、外壁５１と内壁５２との間に備えるので、壁から突出することがなく見栄えが良い。また、これら駆動部を、窓開口２の上に配置したので、駆動部が水や埃、落ち葉等が入り込んで壊れることを低減することができる。
【００１１】
好ましくは、窓開口（２）の下側に位置する外壁（５１）と内壁（５２）との間に駆動装置（２６３）が設けられ、該駆動装置（２６３）によってシャッタ（４０）が昇降作動可能とするのがよい。このように、駆動部を壁内に有するので、壁から突出することがなく見栄えが良い。更に、駆動部を窓開口２の下に配置したので、窓開口２の上側スペースを極限までコンパクトにすることができ見栄えが良い。
【発明の効果】
【００１２】
本発明によれば、窓開口を全開することが可能であり、フル景観を得ることができる。また、上開きのシャッタなので、半開状態でも外部から手が届きにくく、防犯性に優れた開口部となる。
【発明を実施するための最良の形態】
【００１３】
以下、本発明の実施形態を、図面を用いて説明する。
［実施例１］
図１は、本実施形態の開口部外装装置１を示す上方から見た概略斜視図である。図２は、図１に示す開口部外装装置１の構造を示す概略斜視図であり、図２（ａ）は室内側下方から見た図であり、図２（ｂ）は室外側上方から見た図である。
図１及び図２に示すように、開口部外装装置１は、住宅等の建物の外壁における掃出サイズの開口部（取り付け口）に取付けられ、建物の室内空間と室外空間とを仕切るものである。掃出サイズの開口部(取り付け口)の下側半分は、外壁５１及び内壁５２によって覆われおり、実際の視界としての開口（窓開口２）は上側半分になる。即ち、窓開口２の下端位置が床面より高い位置（例えば、８００〜１４００ｍｍ）に設けられた腰付サイズの腰窓である。
開口部外装装置１は、サッシ枠１０、窓障子２０、網戸３０、及びシャッタ４０を備えて構成されている。
【００１４】
図３は、開口部外装装置１の横断面図を示す図１のＡ−Ａ断面図である。図４は、開口部外装装置１の縦断面図を示す図１のＢ−Ｂ断面図である。図４は、図１の状態から窓障子２０、網戸３０、及びシャッタ４０が完全に閉じた閉窓状態を示している。
外壁５１は、外壁材が貼ってあり、室外側の補強材５３によって固定されている。
内壁５２は、石膏ボードにクロス貼りが施してあり、室内側の補強材５４によって固定されている。この補強材５４の室外側には防水板５５が配設されている。
【００１５】
サッシ枠１０は、アルミニウム合金製の押出形材からなる上サッシ１１、下サッシ１２、及び左右の縦サッシ１４を四周枠組みして構成されている。サッシ枠１０の横サッシとしては、上下サッシ１１、１２の他に、左右の縦サッシ１４の中間をつなぐ中間サッシ１３が構成されている。
サッシ枠１０は、そのフランジ部で、開口部外装装置１周辺の柱や壁パネル等の建物躯体４に固定されている。サッシ枠１０は、室外側には外壁５１、室内側には内壁５２が貼り付けられている。従って、壁に完全な垂直方向（見込み方向、室内外方向）では、室内、室外からサッシ枠１０が見えることがない。
【００１６】
左右の縦サッシ１４には、窓障子２０及び網戸３０がそれぞれスライド移動するための縦溝（レール）１５、１６が断面形状に設けられているとともに、縦溝１５、１６よりも室外側に、シャッタ４０がスライド移動するための溝（ガイド）１７が加工されている。左右の縦サッシ１４は、シャッタ４０用の溝１７が形成されている部位を別部材で構成してもよい。
【００１７】
窓障子２０は、サッシ枠１０内に支持されるとともに、アルミニウム合金製の押出形材からなる上框２１、下框２２、及び左右の縦框２４を四周框組みした内部に、ガラスパネル（複層のペアガラス）２５を嵌め込んで構成されている。
窓障子２０の室外側には、シャッタ４０が設けられ、窓障子２０とシャッタ４０との間には網戸３０が取付けられている。即ち、室内側より窓障子２０、網戸３０、シャッタ４０の順となっている。この順序は、窓障子２０と網戸３０を入れ替えることも可能である。
【００１８】
網戸３０は、サッシ枠１０内に支持されるとともに、アルミニウム合金製の押出形材からなる上框３１、下框３２、及び左右の縦框３４と、これら上下左右の框３１、３２、３４に四周を囲まれた内部に設けられたネット３５とを備えて構成されている。網戸３０のネット３５は、プライバシー保護用のレース等を使用してもよい。
【００１９】
シャッタ４０は、サッシ枠１０内に支持されるとともに、シャッタ本体骨組みに外側パネル４１と内側パネル４２が貼り付けられる。外側パネル４１は、外壁５１と同じ外壁調としているが、スラット調や装飾ガラス調としてもよい。
シャッタ４０の左右の側部には、上側ピン４３と下側ピン４４の計４つのピンが設けられ、左右の縦サッシ１４に形成されたガイド溝１７内に挿入されている。
【００２０】
窓障子２０、網戸３０、及びシャッタ４０は、それぞれ左右の縦サッシ１４の縦溝１５、１６、及びガイド溝１７に案内されて上下にスライド移動可能に支持されている。
窓障子２０及び網戸３０の左右の縦框２１、３１は、それぞれ左右の縦サッシ１４の縦溝１５、１６内に納まっており、常に室内外からの視野からは見えない。
【００２１】
窓障子２０の上框２１及び下框２２が、それぞれ上サッシ１１と中間サッシ１３と見込み方向（室内外方向）に重なって、窓障子２０が閉じられるようになっている。同様に、網戸３０の上框３１及び下框３２が、それぞれ上サッシ１１と中間サッシ１３と見込み方向（室内外方向）に重なって、網戸３０が閉じられるようになっている。
窓障子２０は、その上框２１が上サッシ１１に当接した閉鎖状態から、中間サッシ１３に上框２１が重なる開放状態までの間を、開閉移動可能に構成されている。同様に、網戸３０は、その上框３１が上サッシ１１に当接した閉鎖状態から、中間サッシ１３に上框２１が重なる開放状態までの間を、開閉移動可能に構成されている。
【００２２】
図３及び図４に示すように、窓障子２０が完全に閉じた状態では、その上下左右の框２１、２２、２４が、それぞれ上サッシ１１、中間サッシ１３、左右の縦サッシ１４と見込み方向で重なり、室内側及び室外側からの視野からは見えない。同様に、網戸３０が完全に閉じた状態では、その上下左右の框３１、３２、３４が、それぞれ上サッシ１１、中間サッシ１３、左右の縦サッシ１４と見込み方向で重なり、室内側及び室外側からの視野からは見えない。
【００２３】
窓開口２の周縁は、上サッシ１１、中間サッシ１３、及び左右の縦サッシ１４の上半分で四周が形成されている。窓開口２の下側には、外壁５１と内壁５２との間に収納部５６が設けられ、中間サッシ１３、下サッシ１２、及び左右の縦サッシの下半分で四周が囲まれている。
窓障子２０、網戸３０、及びシャッタ４０は、見込み方向に重なって収納部５６に完全に収納することが可能（完全収納パターン）となっている。即ち、窓障子２０、網戸３０、及びシャッタ４０が完全に開いた状態では、室内側及び室外側から見込み方向の視野からは見えない。
【００２４】
次に、開口部外装装置１の駆動機構について説明する。
図１に示すように、上サッシ１１の上部には、窓障子２０駆動用モータ（駆動装置）６１、網戸３０駆動用モータ（駆動装置）６２、及びシャッタ４０駆動用モータ（駆動装置）６３が設置されている。
窓障子２０駆動用モータ６１には、シャフト６１ａを介して左右にスプロケット６１ｂが接続されている。スプロケット６１ｂには、チェーン６１ｃが巻き付いており、チェーン６１ｃは窓障子２０の左右両側（下框２２の両端）に接続されている。
【００２５】
網戸３０駆動用モータ６２には、シャフト６２ａを介して左右に巻き取りドラム６２ｂが接続されている。巻き取りドラム６２ｂには、ワイヤ６２ｃが巻き付いており、ワイヤ６２ｃは網戸３０の左右両側（上框３１）に接続されている。
シャッタ４０駆動用モータ６３には、シャフト６３ａを介して左右にスプロケット６３ｂが接続されている。スプロケット６３ｂには、チェーン６３ｃが巻き付いており、チェーン６３ｃはシャッタ４０の左右両側（下側ピン４４）に接続されている。
【００２６】
チェーン６１ｃ、６３ｃ、及びワイヤ６２ｃは、左右の縦サッシ１４の中空断面内に垂らされている。従って、室内外から見込み方向の視野から見えない。これらチェーン６１ｃ、６３ｃ、及びワイヤ６２ｃを左右の縦サッシ１４の中空断面外に配置して見えるようにしても、機能上は問題ない。
【００２７】
窓障子２０、網戸３０、及びシャッタ４０は、それぞれ駆動用モータ６１、６２、及び６３の駆動により、各々のシャフト６１ａ、６２ａ、及び６３ａが回転すると、それぞれ独立して上下方向に昇降する。即ち、窓障子２０、網戸３０、及びシャッタ４０は、それぞれ独立して開閉可能となっている。
【００２８】
次に、掃除機能について説明する。
図５は、開口部外装装置１の縦断面図を示す図１のＣ−Ｃ拡大断面図であり、中間サッシ１３の高さにおける断面図である。
窓障子２０のガラス２５の室内外側に、掃除手段としてのワイパ７１が接している。ガラス２５の室内側にあるワイパ７１は、中間サッシ１３に形成された溝にスライド勘合して固定されている。ガラス２５の室外側にあるワイパ７１は、内側ブラケット７３に形成された溝にスライド勘合して固定されている。
【００２９】
網戸３０のネット３５の室内外側に、掃除手段としてのブラシ７２が接している。網戸３０の室内側にあるブラシ７２は、内側ブラケット７３に形成された溝にスライド勘合して固定されている。網戸３０の室外側にあるブラシ７２は、外側ブラケット７４に形成された溝にスライド勘合して固定されている。
内側ブラケット７３、及び外側ブラケット７４は、中間サッシ１３の室外側で順に、左右両側にある縦サッシ１４に固定されている。
【００３０】
窓障子２０が上下方向に昇降すると、ワイパ７１は昇降せずに固定されているので、ガラス２５の内外面がワイパ７１で磨かれる。同様に、網戸３０が上下方向に昇降すると、ブラシ７２は昇降せずに固定されているので、ネット３５の内外面がブラシ７２で磨かれる。このことにより、ガラス２５に内外面及び網戸３０のネット３５の内外面は、自動的に掃除が行われる。
【００３１】
次に、防露・送風機能について説明する。
図６は、開口部外装装置１の送風機能の概略を示す説明図であり、図６（ａ）は概略斜視図、図６（ｂ）、（ｃ）及び（ｄ）は、それぞれ図６（ａ）の上サッシ１１、中間サッシ１３、及び縦サッシ１４における断面図である。
上サッシ１１の上部には、送風装置としてのファン６５が配置されている。
窓開口２の周縁に位置する上サッシ１１、中間サッシ１３、及び左右の縦サッシ１４には、空調ダクトとしての中空部６６が形成されている。
【００３２】
上サッシ１１及び中間サッシ１３の中空部６６が、左右の縦サッシ１４内側の側面（上サッシ１１及び中間サッシ１３の突き当て面）に開けられた穴を介して縦サッシ１４の中空部６６と繋がっている。上サッシ１１及び中間サッシ１３の左右両端と左右の縦サッシ１４の付け当て面にはパッキンが挟まっており、縦サッシ１４の側面に開けられた穴の周りはシールされている。
【００３３】
上サッシ１１の上面に開けられた穴から、ファン６５で送風することで、繋がっている中空部（ダクト６６）内にはエアー（空気）が流れる。エアーは、上サッシ１１及び中間サッシ１３に開けられた吐出口（穴）６７より吐出される。
窓障子２０の室内側の面に送風可能であるので、空気の対流が滞りやすい入隅部を中心に、空気を吐出させて空気の対流を促すことで結露が防止される。
【００３４】
上記のように構成された本発明に係る開口部外装装置１によれば、以下のような効果がある。
窓障子２０、網戸３０、及びシャッタ４０が外壁５１と内壁５２との間の壁内（収納部５６）に収納されるので、窓開口２がフルに全開でき、開放感・換気性が向上する。また、従来の引き違い窓には召し合わせ框が窓開口の中央部を横切っているが、本発明では召し合わせ框が見えないので、開口部のフル景観の眺めが得られる。即ち、幅１．５ｍ以上、高さ１ｍ以上の横長のワイドな眺めが、支柱等の遮りが全くない状態で得ることができる。
更に、召し合わせ框による光の遮りがないので、支柱等の影が床に映ることなく、採光性が向上する。
【００３５】
また、窓障子２０、網戸３０、及びシャッタ４０が駆動装置６１、６２、６３によって電動式に開閉可能であるので、スイッチ操作だけで開閉できるので開閉操作が容易である。また、窓から離れた場所からでも開閉できる。
手動式のような閉窓時の指はさみの危険が少なく、防犯性も高い。(手動式のクレセントによる施錠では、外部から窓を割ってクレセントが外されると窓が開けられてしまう恐れがある。)
更に、窓障子２０、網戸３０、及びシャッタ４０が全て開いた全開状態（全開モード）、シャッタ４０と網戸３０を壁内の収納部５６に収納して窓障子２０のみを閉めた採光状態（採光モード）や、シャッタ４０と窓障子２０を壁内の収納部５６に収納して網戸３０のみを閉めた換気状態（換気モード）を容易に行うことができる。
【００３６】
掃除手段であるワイパ７１によって、窓障子２０のスライド開閉操作に伴って窓障子２０のガラス２５が室内外から挟み込まれながら自動的に掃除されるので、常に綺麗な状態に保つことができる。また、掃除手段であるブラシ７２によって、網３０のスライド開閉操作に伴って網戸３０のネット３５が室内外から挟み込まれながら自動的に掃除されるので、常に綺麗な状態に保つことができる。
また、このワイパ７１及びブラシ７２によって、収納部５６内に塵や埃が入り込むことを防止できる。
【００３７】
また、空気の対流が滞るような窓開口２の隅の部分では結露が発生しやすいが、送風することで隅のほうまで空気の対流を保てるので、窓障子２０のガラス２５の表面における防露性が向上する。
住宅側の天井に設置されている空調ダクト（通常は天井に細長い形状や円形状の送風口が多くつけられているが、見栄えが悪い）を廃止し、住宅側の送風口を本発明のダクト６６に繋がっている吸気部分に接続すれば、窓が空調の送風口となる。その結果、天井の室内景観が良くなるとともに、窓からのサーマルドラフト（冬季に窓から冷気を感じる：コールドドラフト、夏季に窓から熱気を感じる：ヒートドラフト）を抑制できる。
【００３８】
また、シャッタ４０が一体型（閉じる時にも変形しない１枚のパネルタイプ）であるので、防犯上、室外側から攻撃されても破壊されにくい。特に、上開きタイプのシャッタ４０なので、シャッタ４０が半開時であっても、高いところが開いている状態なので外部より進入しにくい。即ち、本実施例では、窓開口２の上端が室内床から２ｍ以上、室外の路面からは２．２ｍ以上となり、防犯性が高まる。
従来の下開きタイプのシャッタは、落下すると床面との間に手が挟まれてけがをする恐れがあるが、上開きなので、シャッタ４０を閉じる際に手が挟まれにくい。
更に上開きの良い点としては、半開時として使用する際、雨が降っても雨が室内には入ってこず、プライバシーも保ちつつ換気を行え、採光もできる。
【００３９】
また、モータ６１、６２、６３等の駆動部を、外壁５１と内壁５２との間に備えるので、壁から突出することがなく見栄えが良い。
これら駆動部を、窓開口２（上サッシ１１）の上に配置したので、駆動部が水や埃、落ち葉等が入り込んで壊れることを低減することができる。
【００４０】
［実施例２］
次に、実施例２の開口部外装装置１０１について説明する。本実施例２の開口部外装装置１０１の基本的な構成については、実施例１の開口部外装装置１と同じである。実施例２が上記した実施例１と大きく異なる点は、シャッタ１４０が閉じた状態で外壁５１と面一（フラット）な状態になることである。
図７は、開口部外装装置１０１の縦断面図を示し、実施例１の縦断面図を示す図４
（図１のＢ−Ｂ拡大断面図）に対応する。なお、本実施例２において上記した構成と同じ構成については実施例１と同じ符号を付してある。また、本実施例２は、実施例１の変形例であり、実施例１の構成と同じ部分について得られる作用・効果は同一である。（実施例３以降についても同様である。）
【００４１】
図８は、実施例２の開口部外装装置１０１におけるシャッタ１４０の開閉動作を模式的に説明する概略図であり、図１のＤ−Ｄ断面を示す縦断面図である。図８（ａ）はシャッタ１４０の全閉状態、図８（ｂ）は上側を少し開けた半開状態、図８（ｃ）は全閉状態を示す。
シャッタ１４０の構成は、実施例１と大きく異なる点はなく、シャッタ１４０の左右の側部には、上側ピン１４３と下側ピン１４４の計４つのピンが設けられ、左右の縦サッシ１４に形成されたガイド溝１１７、１１８内に挿入されている。
【００４２】
図８に示すように、左右の縦サッシ１４には、上下に二つのガイド溝１１７、１１８が形成されている。上下のガイド溝１１７、１１８は、下端から中間部は上下方向に平行に形成されたストレート部となってとり、上端にいくに従って室外側に向かって湾曲した円弧状となっている。
下側ガイド溝１１８の上端は、上側ガイド溝１１７の下端よりも垂直方向で上側になるように構成されている。
【００４３】
図８（ａ）に示すようなシャッタ１４０の全閉状態から、実施例１と同様に駆動用モータ６３の駆動により、シャフト６１ａ、が回転すると、シャッタ１４０が上昇する。シャッタ１４０は、上下側のガイド溝１１７、１１８のストレート部に沿って、しばらくは垂直にスライド移動する。上側ピン１４３及び下側ピン１４４が、ガイド溝１１７、１１８の上端の湾曲部に来ると、その湾曲部に案内されて、図８（ｂ）、（ｃ）に示すように、シャッタ１４０は上昇しながら室外側方向にも移動する。
即ち、上側へ引き上げた際に、上下側のガイド溝１１７、１１８に沿ってオフセット動作し、周辺の外壁５１とシャッタ室外面１４１が面一な状態となる（全閉状態）。
【００４４】
シャッタ１４０の室外面１４１のデザインは、装飾ガラス調やスラット調など様々なバリエーションを持たせることができるが、周辺外壁５１と同じ外壁調とすることで、全閉状態での室外側からの視野において、一体感を得ることができる。つまり、意匠性が向上するとともに、一見しただけでは窓があることが気付かないようになる。
シャッタ１４０を下側へ下げた際に、ガイド溝１１７、１１８に沿ってオフセット動作し、室内側へ移動しながら壁内（収納部５６）へ収納される（全開状態）。
【００４５】
図７に示すように、シャッタ１４０の室内側上部（上サッシ１１）に、蛍光灯等の光源１８１を設けるとよい。
夜間に、シャッタ１４０を全閉状態とした際、光源１８１を点灯させると、シャッタ１４０の室内面（内側パネル）１４２が反射面となって反射し、日中の採光のような雰囲気で窓開口２から照明することができる。建物は、もともと窓から採光するように設計されているので、照明機能としてよい。
シャッタ１４０の室内面１４２に風景等の写真やデザイン画を貼っておくと、シャッタ１４０を閉じていても、窓開口２から意匠性のある眺めを得ることが可能となる。このとき、窓障子２０も上げて閉窓して、網戸３０のみを下げて収納した状態とするのがよい。
【００４６】
［実施例３］
次に、実施例３の開口部装置２０１について説明する。本実施例３の開口部装置２０１が、上記した実施例と大きく異なる点は、開口部装置２０１自体が扉として機能することである。
図９は、実施例３の開口部装置２０１の斜視図である。図９（ａ）は全開状態、図９（ｂ）はシャッタ４０が半開の状態を示している。どちらとも窓障子２０や網戸３０は全開の状態である。
図９に示すように、開口部装置２０１（サッシ枠１０）が、出入口の扉となっている。ただし、扉が閉じた状態では、上記した実施例と同様に建物の壁と同様に機能する。
【００４７】
開口部装置２０１は、図１０に示すようなシャッタ４０用の駆動装置２６３が、下側（収納部５６）に設けられている。図示してないが、窓障子２０用及び網戸３０用の駆動装置２６１、２６２も同様に設けられている。
このように、駆動部を壁内に有するので、壁から突出することがなく見栄えが良い。更に、駆動部を窓開口２の下に配置したので、窓開口２（上サッシ１１）の上側スペースを極限までコンパクトにすることができ見栄えが良い。
図９に示すような開き扉だけでなく、スライド式の扉（ドア）に適用してもよい。
【００４８】
なお、本発明の具体的構成は、上記した実施形態に限定されることなく、種々に変更可能であり、上記した実施形態と同様の効果を得ることができる。
上記した実施形態では、窓障子２０、網戸３０、シャッタ４０の３つが上下に昇降するが、網戸３０は非装着であってもよい。また、窓障子２０は非可動タイプ（フィックス窓）であってもよい。
【００４９】
上記した実施形態では、シャッタ４０が外壁５１と内壁５２の間の収納部５６に完全に収納（完全収納パターン）されるが、上下方向の長さが窓開口２より収納部５６を小さくすることで、壁５１、５２でカバーされた範囲に収納しきれず、部分的にシャッタ４０の上端が残って見える部分収納パターンとしてもよい。
【図面の簡単な説明】
【００５０】
【図１】本発明に係る開口部外装装置を示す概略斜視図である。
【図２】図１に示す開口部外装装置の構造を示す概略斜視図であり、（ａ）は室内側下方から見た図であり、（ｂ）は室外側上方から見た図である。
【図３】開口部外装装置の横断面図を示す図１のＡ−Ａ拡大断面図である。
【図４】開口部外装装置の縦断面図を示す図１のＢ−Ｂ拡大断面図である。
【図５】開口部外装装置の縦断面図を示す図１のＣ−Ｃ拡大断面図である。
【図６】開口部外装装置の送風機能の概略を示す説明図である。
【図７】実施例２の開口部外装装置の縦断面を示す拡大断面図である。
【図８】実施例２におけるシャッタの開閉動作を説明する概略図である。
【図９】実施例３の開口部外装装置の斜視図である。
【図１０】実施例３の駆動装置の概略を示す斜視図である。
【符号の説明】
【００５１】
１、１０１、２０１、    開口部外装装置
２    窓開口
１０    サッシ枠
１１    上サッシ（横サッシ）
１２    下サッシ
１３    中間サッシ（横サッシ）
１４    縦サッシ
１５、１６    縦溝
１７、１１７、１１８    溝（ガイド）
２０    窓障子
２１    上框
２２    下框
２４    縦框
２５    ガラス
３０    網戸
３５    ネット
４０、１４０    シャッタ
４１、１４１    外側パネル
４２、１４２    内側パネル
４３、４４、１４３、１４４    ピン
５１    外壁
５２    内壁
５３、５４    補強材
５５    防水板
５６    収納部
６１、６２、６３    モータ（駆動装置）
６５    ファン（送風装置）
６６    ダクト（中空部）
６７    吐出口
７１    ワイパ（掃除手段）
７２    ブラシ（掃除手段）
７３、７４    ブラケット
１８１    光源
【図１】
2008127967.tif 000003
【図２】
2008127967.tif 000004
【図３】
2008127967.tif 000005
【図４】
2008127967.tif 000006
【図５】
2008127967.tif 000007
【図６】
2008127967.tif 000008
【図７】
2008127967.tif 000009
【図８】
2008127967.tif 000010
【図９】
2008127967.tif 000011
【図１０】
2008127967.tif 000012